(57)【要約】多機能ＰＤＡを開示する。このＰＤＡは物品に付着されたバーコードを認識するバーコード認識部（１０）と、バーコードに対応する物品情報を記憶するデータ記憶部（１３０）と、使用者の命令を入力するキー入力部（２０）と、前記バーコード部（１０）により認識されたバーコードを解釈し、物品価格、販売所などのような物品情報を前記データ記憶部（１３０）から検索し、前記キー入力部（２０）を介して入力された決済命令に応じて決済及び配送信号を出力する中央処理部（１００）と、前記中央処理部（１００）から出力された物品情報に応じて該当販売所に物品配送要請信号を送信し、金融機関に決済要請信号を送信するデータ送受信部（１１０）と、中央処理部（１００）の動作状態を表示する表示部（１２０）とを含む。
2004507835.tif 000002
【特許請求の範囲】
【請求項１】
物品に付着されたバーコードを認識するバーコード認識部（１０）と、キーにより使用者の命令を入力するキー入力部（２０）と、地下鉄又はバスに乗降するとき、固有番号を認識させるパスカード処理部（３０）と、使用者の命令を入力するペン型メモリスティック（１６０）と、前記メモリスティック（１６０）の入力を受けるメモリスティック入力部（４０）と、前記メモリスティック入力部（４０）により入力された文字内容を類似キーボード動作の翻訳処理により変換し、その文字を各アプリケーションに送信する文字認識部（５０）と、使用者のリモコン操作命令を入力するタッチスクリーン入力部（６０）と、リモコン操作信号をテレビ、ビデオプレイヤー、オーディオプレイヤーなどのような多様な電気装置に送信する赤外線送信部（７０）と、映像を入力する撮像素子（９０）と、前記撮像素子（９０）により入力された映像を処理するカメラ制御部（８０）と、バーコードに対応する物品情報、前記パスカード処理部（３０）により入力され処理された内容、中央処理部により制御されるデータ、及び前記キー入力部（２０）及び前記カメラ制御部（８０）により入力され処理された映像データを記憶するデータ記憶部（１３０）と、前記バーコード認識部（１０）により認識されたバーコードを解釈し、前記データ記憶部（１３０）から物品価格、販売所などのような物品情報を検索し、前記キー入力部（２０）により入力された決済命令に応じて決済及び配送信号を出力し、前記キー入力部（２０）及び前記パスカード処理部（３０）の入力及び処理動作を制御し記憶し、前記メモリ入力部（４０）の入力動作と前記文字認識部（５０）の処理動作を制御し、前記キー入力部（２０）及び前記タッチスクリーン入力部（６０）の入力動作と前記赤外線送信部（７０）の処理動作を制御し、前記キー入力部（２０）の入力動作と前記カメラ制御部（８０）の処理動作を制御する中央処理部（１００）と、前記中央処理部（１００）から出力された物品情報に応じて当該販売所に物品配送要請信号を送信し、決済要請信号を金融機関に伝送するデータ送受信部（１１０）と、前記中央処理部（１００）の制御により前記中央処理部（１００）の動作及び処理結果を表示する表示部（１２０）と、前記構成部に電源を供給するバッテリ（１４０）と、前記バッテリ（１４０）を外部充電装置に電気的に連結する充電端子（１５０）とを含んでなることを特徴とする多機能ＰＤＡ。
【請求項２】
物品に付着されたバーコードを認識するバーコード認識部（１０）と、バーコードに対応する物品情報を記憶するデータ記憶部（１３０）と、使用者の命令を入力するキー入力部（２０）と、前記バーコード認識部（１０）により認識されたバーコードを解釈し、前記データ記憶部（１３０）から物品価格、販売所などのような物品情報を検索し、前記キー入力部（２０）により入力された決済命令に応じて決済及び配送信号を出力する中央処理部（１００）と、前記中央処理部（１００）から出力された物品情報に応じて当該販売所に物品配送要請信号を送信し、決済要請信号を金融機関に伝送するデータ送受信部（１１０）と、前記中央処理部（１００）の動作を表示する表示部（１２０）とを含んでなることを特徴とする多機能ＰＤＡ。
【請求項３】
２において、前記データ記憶部はデータ通信により別のサーバーから新たな物品情報を随時ダウンロードして記憶することを特徴とする多機能ＰＤＡ。
【請求項４】
キーにより使用者の命令を入力するキー入力部（２０）と、地下鉄又はバスに乗降するとき、固有番号を認識させるパスカード処理部（３０）と、前記キー入力部（２０）の入力動作及び前記パスカード処理部（３０）の処理動作を制御し、前記入力及び処理動作の情報を前記データ記憶部（１３０）に記憶する中央処理部（１００）と、前記中央処理部（１００）の制御により前記中央処理部（１００）の動作及び処理結果を表示する表示部（１２０）とを含んでなることを特徴とする多機能ＰＤＡ。
【請求項５】
請求項５において、前記パスカード処理部（３０）は磁気記録型であることを特徴とする多機能ＰＤＡ。
【請求項６】
使用者の命令を入力するペン型メモリスティック（１６０）と、前記メモリスティック（１６０）の入力を受けるメモリスティック部（４０）と、前記メモリスティック入力部（４０）により入力された文字内容を類似キーボード動作の翻訳処理により変換し、その文字を各アプリケーションに送信する文字認識部（５０）と、前記メモリスティック入力部（４０）の入力動作及び前記文字認識部（５０）の処理動作を制御し、前記入力及び処理動作の情報を前記データ記憶部（１３０）に記憶する中央処理部（１００）と、前記中央処理部（１００）の制御により前記中央処理部（１００）の動作及び処理結果を表示する表示部（１２０）とを含んでなることを特徴とする多機能ＰＤＡ。
【請求項７】
請求項６において、前記多機能ＰＤＡは、使用者の命令をキーにより入力するキー入力部をさらに含むことを特徴とする多機能ＰＤＡ。
【請求項８】
使用者の命令をキーにより入力するキー入力部（２０）と、使用者のリモコン操作命令を入力するタッチスクリーン入力部（６０）と、リモコン操作信号をテレビ、ビデオプレイヤー、オーディオプレイヤーなどのような多様な電気装置に送信する赤外線送信部（７０）と、前記キー入力部（２０）及び前記タッチスクリーン入力部（６０）の入力動作と前記赤外線送信部（７０）の処理動作を制御する中央処理部（１００）と、前記中央処理部（１００）の制御動作に必要なデータを記憶するデータ記憶部（１３０）と、前記中央処理部（１００）の制御により操作キーと該操作キーの動作及び結果を表示する表示部（１２０）とを含んでなることを特徴とする多機能ＰＤＡ。
【請求項９】
使用者の命令を入力するキー入力部（２０）と、映像を入力する撮像素子（９０）と、前記撮像素子（９０）により入力された映像を処理するカメラ制御部（８０）と、前記キー入力部（２０）の入力動作と前記カメラ制御部（８０）の処理動作を制御し、入力され処理された映像データを前記データ記憶部（１３０）に記憶する中央処理部（１００）と、前記中央処理部（１００）の制御により映像データを記憶する着脱式メモリ（１７０）と、前記中央処理部（１００）の動作及び結果を表示する表示部（１２０）とを含んでなることを特徴とする多機能ＰＤＡ。
【請求項１０】
請求項９において、前記撮像素子は虹彩又は指紋確認による使用者確認機能を有することを特徴とする多機能ＰＤＡ。
【発明の詳細な説明】
【０００１】
（技術分野）
本発明はバーコード認識、パスカード、メモリスティック入力、リモコン及びカメラ機能を有する多機能ＰＤＡに係り、より詳しくは、使用者が別の購入／決済過程なしで物品を購入し、その物品を所望の場所に配送するようにバーコード認識機能が一般のＰＤＡに設けられ、地下鉄又はバスに乗降するとき、使用者がパスカード機能を用いようとすると、ＰＤＡに記録された固有番号がすぐに認識されて運送料金が決済できるようにするパスカード機能が一般のＰＤＡに設けられ、使用者がメモリスティックを介して手書き方式で文字を入力するとＰＤＡがその文字を認識し、キーボードにより入力された文字と同様に文字を処理するようにするメモリスティック機能が一般のＰＤＡに設けられ、使用者がテレビ、ビデオプレイヤー、オーディオプレイヤーなどの多様な電気装置が遠隔で便利に制御できるようにするリモコン機能が一般のＰＤＡに設けられ、又は使用者が所望の映像を撮像し、撮像素子を用いる虹彩又は指紋確認による自分確認を可能にするカメラ機能が一般のＰＤＡに設けられた多機能ＰＤＡに関するものである。
【０００２】
（背景技術）
一般に、ＰＤＡ（Ｐｅｒｓｏｎａｌ Ｄｉｇｉｔａｌ Ａｓｓｉｓｔａｎｔ）は情報の収集、記憶、処理及び交換の機能が結合された個人通信装置であって、その使用がますます増加している。より具体的に、ＰＤＡは携帯用通信端末機とも呼ばれる。ＰＤＡはノートブックコンピュータよりは小さいが、電子手帳よりは強力である。ＰＤＡは日程管理、住所録、メモ帳などの個人情報管理プログラムを基本的に提供し、ＰＣとデータを自由に交換することができ、基本的に設置されたプログラムのほかにも付加の応用プログラムを備えている。
【０００３】
現今、ＰＤＡは無線インターネットを含む新たな応用分野を活用している。例えば、ＰＤＡは基本的に提供されたプログラムと付加的に設置された応用プログラムを用いて個人情報を管理するのに用いられる。ところで、ＰＣにはＰＤＡの個人情報管理プログラムに相当する個人情報管理プログラムが設けられているので、ＰＤＡをＰＣに連結して個人情報を修正、追加、バックアップする新たな個人情報管理方法を提案している。また、無線インターネットによると、ウェブページ検索、Ｅ−ｍａｉｌ、ＰＣ通信、株式売買などのようにＰＣにより行えるインターネットの主要機能が追加できる。また、そのほかの応用分野としては、管理自動化（データ収集及び交換、活動監視、作業割当、発注入力、請求書発送、顧客データベースアクセスなど）、便宜施設及び公共安全（事故報告、駐車統制、応急サービス及び修理、計量器検針、維持補修及び監査）、運送及び在庫管理（在庫調査、作業配置、工程配置など）、金融業（保険及び相互基金の代理店管理）などの多様な分野に適用している。
【０００４】
現今、多様な機能を備えたＰＤＡが研究開発されているが、ＰＤＡの本来の機能に密接に関連した機能を除く現実的な機能を備えたＰＤＡの開発は十分でない。
【０００５】
したがって、本発明は前記のような従来の問題点に鑑みてなされたもので、その目的は多機能を有するＰＤＡを提供することにある。
【０００６】
本発明のほかの目的は、使用者が付加の購入／決済過程なしで物品を購入して所望の場所に配送できるように、バーコード認識機能が設けられたＰＤＡを提供することにある。
【０００７】
本発明のさらにほかの目的は、地下鉄又はバスに乗降するとき、使用者がパスカード機能を用いようとすると、ＰＤＡに記録された固有番号がすぐに認識されて運送料金が決済できるようにするパスカード機能が設けられたＰＤＡを提供することにある。
【０００８】
本発明のさらにほかの目的は、使用者がメモリスティックを介して手書き方式で文字を入力するとＰＤＡがその文字を認識し、キーボードにより入力された文字と同様に文字を処理するようにするメモリスティック機能が設けられたＰＤＡを提供することにある。
【０００９】
本発明のさらにほかの目的は、使用者がテレビ、ビデオプレイヤー、オーディオプレイヤーなどの多様な電気装置が遠隔で便利に制御できるようにするリモコン機能が設けられたＰＤＡを提供することにある。
【００１０】
本発明のさらにほかの目的は、使用者が所望の映像を撮像し、撮像素子を用いる虹彩又は指紋確認による自分確認を可能にするカメラ機能が設けられたＰＤＡを提供することにある。
【００１１】
（発明の開示）
前記目的を達成するため、本発明は、物品に付着されたバーコードを認識するバーコード認識部１０と、キーにより使用者の命令を入力するキー入力部２０と、地下鉄又はバスに乗降するとき、固有番号を認識させるパスカード処理部３０と、使用者の命令を入力するペン型メモリスティック１６０と、前記メモリスティック１６０の入力を受けるメモリスティック入力部４０と、前記メモリスティック入力部４０により入力された文字内容を類似キーボード動作の翻訳処理により変換し、その文字を各アプリケーションに送信する文字認識部５０と、使用者のリモコン操作命令を入力するタッチスクリーン入力部６０と、リモコン操作信号をテレビ、ビデオプレイヤー、オーディオプレイヤーなどのような多様な電気装置に送信する赤外線送信部７０と、映像を入力する撮像素子９０と、前記撮像素子９０により入力された映像を処理するカメラ制御部８０と、バーコードに対応する物品情報、前記パスカード処理部３０により入力され処理された内容、中央処理部により制御されるデータ、及び前記キー入力部２０及び前記カメラ制御部８０により入力され処理された映像データを記憶するデータ記憶部１３０と、前記バーコード認識部１０により認識されたバーコードを解釈し、前記データ記憶部１３０から物品価格、販売所などのような物品情報を検索し、前記キー入力部２０により入力された決済命令に応じて決済及び配送信号を出力し、前記キー入力部２０及び前記パスカード処理部３０の入力及び処理動作を制御し記憶し、前記メモリ入力部４０の入力動作と前記文字認識部５０の処理動作を制御し、前記キー入力部２０及び前記タッチスクリーン入力部６０の入力動作と前記赤外線送信部７０の処理動作を制御し、前記キー入力部２０の入力動作と前記カメラ制御部８０の処理動作を制御する中央処理部１００と、前記中央処理部１００から出力された物品情報に応じて当該販売所に物品配送要請信号を送信し、決済要請信号を金融機関に伝送するデータ送受信部１１０と、前記中央処理部１００の制御により前記中央処理部１００の動作及び処理結果を表示する表示部１２０と、前記構成部に電源を供給するバッテリ１４０と、前記バッテリ１４０を外部充電装置に電気的に連結する充電端子１５０とを含んでなる多機能ＰＤＡを提供する。
【００１２】
（発明を実施するための最良の形態）
以下、本発明の一実施例によるＰＤＡを添付図面に基づいて詳細に説明する。
【００１３】
図１は本発明による多機能ＰＤＡの制御ブロック図、図２はバーコード認識機能に関する本発明のＰＤＡの制御ブロック図、図３はパスカード機能に関する本発明のＰＤＡの制御ブロック図、図４はメモリスティック入力機能に関する本発明のＰＤＡの制御ブロック図、図５はリモコン機能に関する本発明のＰＤＡの制御ブロック図、図６はカメラ機能に関する本発明のＰＤＡの制御ブロック図、図７は本発明のＰＤＡの外観を示す斜視図、図８はリモコン機能に関する本発明のＰＤＡの表示部を示す斜視図である。
【００１４】
図２に示すように、本発明のＰＤＡがバーコード認識機能をする場合、前記ＰＤＡは、物品に付着されたバーコードを認識するバーコード認識部１０と、バーコードに対応する物品情報を記憶するデータ記憶部１３０と、使用者の命令を入力するキー入力部２０と、前記バーコード部１０により認識されたバーコードを解釈し、物品価格、販売所などのような物品情報を前記データ記憶部１３０から検索し、前記キー入力部２０を介して入力された決済命令に応じて決済及び配送信号を出力する中央処理部１００と、前記中央処理部１００から出力された物品情報に応じて該当販売所に物品配送要請信号を送信し、金融機関に決済要請信号を送信するデータ送受信部１１０と、中央処理部１００の動作状態を表示する表示部１２０とからなる。
【００１５】
したがって、このＰＤＡを携帯した使用者がショッピングモール又はデパートなどのショッピング場所で物品を選択した後、物品を購買するため、その物品に付着されたバーコードを認識させると、前記バーコード認識部１０が前記物品に付着されたバーコードを認識し、使用者の決済命令をキー入力部２０を介して入力する。
【００１６】
中央処理部１００は、前記バーコード認識部１０で認識されたバーコードを解釈し、前記データ記憶部１３０から物品の価格、販売所などの物品情報を検索し、前記キー入力部２０による使用者の決済命令に応じて物品決済及び物品配送信号を出力する。この際、データ記憶部１３０には前記バーコードに対応する物品情報が記憶されており、データ通信により別のサーバーから物品情報が随時ダウンロードされて前記データ記憶部１３０に記憶される。
【００１７】
前記データ送受信部１１０は、前記中央処理部１００から出力された物品情報に応じて当該販売所に物品購買配送要請信号を送信し、決済要請信号を金融機関に送信する。表示部１２０は前記中央処理部１００の動作状態を表示する。
【００１８】
したがって、このＰＤＡを携帯した使用者がショッピングモール又はデパートなどのショッピング場所で物品を選択した後、物品を購買するため、その物品に付着されたバーコードを認識させると、前記物品を別の購買／決済過程なしで購買して所望の場所に配送することができる。
【００１９】
図３に示すように、本発明のＰＤＡがパスカード機能をする場合は、キーにより使用者の命令を入力するキー入力部２０と、地下鉄又はバスに乗降するとき、固有番号を認識させるパスカード処理部３０と、前記キー入力部２０の入力動作と前記パスカード処理部３０の処理動作を制御して前記入力動作及び処理動作の情報を前記データ記憶部１３０に記憶させる中央処理部１００と、前記中央処理部１００の制御により前記中央処理部１００の動作及び処理結果を表示する表示部１２０とを用いる。
【００２０】
つぎに、このような本発明のＰＤＡの動作を説明する。
【００２１】
使用者は通常キー入力部２０を操作してＰＤＡの一般の機能を用いる。使用者が地下鉄又はバスに乗降するとき、ＰＤＡを地下鉄又はバスのカード認識手段に近接させると、ＰＤＡのパスカード処理部３０はＰＤＡに入力された固有番号をカード認識手段により認識させ、運送料金が決済されるようにする。この際、パスカード処理部３０は磁気記録方式であることが好ましい。
【００２２】
前記中央処理部１００はキー入力部２０の入力動作とパスカード処理部３０の処理動作を制御し、この入力動作及び処理動作の情報をデータ記憶部１３０に記憶させる。
【００２３】
表示部４０は、前記中央処理部１００の制御により前記中央処理部１００の動作及び処理結果を表示する。
【００２４】
要するに、使用者が地下鉄又はバスに乗降するとき、パスカード機能を用いると、ＰＤＡに記録された固有番号がすぐに認識され、運送料金が決済されるので、使用者の便宜を向上させる。
【００２５】
図４に示すように、本発明のＰＤＡがメモリスティック入力機能をする場合、本発明のＰＤＡは、キーにより使用者の命令を入力するキー入力部２０と、使用者の命令を入力するペン型メモリスティック１６０と、前記メモリスティック１６０の入力を受けるメモリスティック入力部４０と、前記メモリスティック入力部４０に入力された文字内容を類似キーボード動作の翻訳処理により変換し、その文字を各アプリケーションに伝送する文字認識部５０と、メモリスティック入力部４０の入力動作及び文字認識部５０の処理動作を制御し、入力動作及び処理動作の情報をデータ記憶部１３０に記憶させる中央処理部１００と、前記中央処理部１００の制御により前記中央処理部１００の動作及び処理結果を表示する表示部１２０とからなる。
【００２６】
つぎに、このような本発明のＰＤＡの動作を詳細に説明する。
【００２７】
使用者はキー入力部２０により命令を入力するか、あるいはメモリスティック１６０を用いて手書き方式でメモリスティック入力部４０に入力する。
【００２８】
前記文字認識部５０は、前記メモリスティック入力部４０により入力された文字内容を類似キーボード動作の翻訳処理により変換し、この文字を各アプリケーションに伝送する。
【００２９】
この際、中央処理部１００は、前記キー入力部２０及び前記メモリスティック入力部４０の入力動作と前記文字認識部５０の処理動作を制御し、前記入力されて処理された内容を前記データ記憶部１３０に記憶させる。また、表示部１２０は、前記中央処理部１００の制御により前記中央処理部１００の動作及び処理結果を表示する。
【００３０】
したがって、使用者がメモリスティックを使用するとき、使用者はメモリスティックにより手書き方式で文字を入力すると、ＰＤＡはその文字を認識し、キーボードにより入力されたものと同様に文字を処理するので、ＰＤＡの使用が容易になる。
【００３１】
図５に示すように、本発明のＰＤＡがリモコン機能をする場合、本発明のＰＤＡは、キーにより使用者の命令を入力するキー入力部２０と、使用者のリモコン操作命令を入力するタッチスクリーン入力部６０と、リモコン操作信号をテレビ、ビデオプレイヤー、オーディオプレイヤーなどの多様な電気装置に送信する赤外線送信部７０と、前記キー入力部２０及び前記タッチスクリーン入力部６０の入力動作を制御する中央処理部１００と、前記中央処理部１００の制御動作に必要なデータを記憶するデータ記憶部１３０と、前記中央処理部１００の制御により操作キーと該操作キーの動作及び結果を表示する表示部１２０と、前記各構成部に電源を供給するバッテリ１４０と、前記バッテリ１４０を外部の充電装置に電気的に連結する充電端子１５０とからなる。
【００３２】
つぎに、このような本発明のＰＤＡの動作を説明する。
【００３３】
前記表示部１２０には、前記中央処理部１００の制御によりテレビ、ビデオプレイヤー、オーディオプレイヤーなどの多様な電気装置を操作するための操作キーが表示される。
【００３４】
したがって、使用者は表示部１２０上に認識されたタッチスクリーン入力部６０により操作命令を入力し、前記中央処理部１００は操作信号を処理し、この処理された操作信号を前記赤外線送信部７０により多様な電気装置に送信する。
【００３５】
また、前記中央処理部１００は前記キー入力部２０及び前記タッチスクリーン入力部６０の入力動作と前記赤外線送信部７０の処理動作を制御し、この入力されて処理されたデータを前記データ記憶部１３０に記憶させる。表示部１２０は前記中央処理部１００の制御により動作及び結果を表示する。
【００３６】
バッテリ１４０は電源を構成部に供給し、前記バッテリ８０は、外部充電装置に電気的に連結されているうち、前記充電端子１５０を介して充電される。
【００３７】
図６に示すように、本発明のＰＤＡがカメラ機能をする場合は、使用者の命令を入力するキー入力部２０と、映像を入力する撮像素子９０と、前記撮像素子９０により入力された映像を処理するカメラ処理部８０と、前記キー入力部２０の入力動作と前記カメラ制御部８０の処理動作を制御し、入力され処理された映像データを前記データ記憶部１３０に記憶させる中央処理部１００と、前記中央処理部１００の制御により映像データを記憶する着脱式メモリ１７０と、前記中央処理部１００の制御により動作及び結果を表示する表示部１２０と、前記構成部に電源を供給するバッテリ１４０と、前記バッテリ１４０を外部充電装置に電気的に連結する充電端子１５０とを用いる。
【００３８】
つぎに、カメラ機能を関する本発明のＰＤＡの動作を説明する。
【００３９】
使用者は撮像素子９０及びキー入力部２０により所望の映像を撮影する。この映像はカメラ制御部８０に入力され処理される。
【００４０】
その後、中央処理部１００はキー入力部２０の入力動作とカメラ制御部８０の処理動作を制御し、入力され処理された映像データをデータ記憶部１３０に記憶させる。
【００４１】
また、中央処理部１００は前記映像データを前記着脱式メモリ１７０に記憶させる。前記メモリ１７０は一般に４〜８Ｍｂのメモリ容量を有する。
【００４２】
また、撮像素子９０は虹彩又は指紋確認による使用者確認機能を有する。
【００４３】
一方、表示部１２０は中央処理部１０の制御により動作及び結果を表示する。
【００４４】
バッテリ１４０は構成部に電源を供給し、このバッテリは外部の充電装置に電気的に連結されているうちに充電端子１５０を介して充電される。
【００４５】
以上説明したように、本発明は、使用者が別の購入／決済過程なしで物品を購入しその物品を所望の場所に配送するようにバーコード認識機能が設けられたＰＤＡを提供する。また、本発明は、地下鉄又はバスに乗降するとき、使用者がパスカード機能を用いようとすると、ＰＤＡに記録された固有番号がすぐに認識されて運送料金が決済できるようにして使用者の便宜を向上させるパスカード機能が設けられたＰＤＡを提供する。また、本発明は、使用者がメモリスティックを介して手書き方式で文字を入力すると、ＰＤＡがその文字を認識し、キーボードにより入力された文字と同様に文字を処理するようにするメモリスティック機能が設けられたＰＤＡを提供する。また、本発明は、使用者がテレビ、ビデオプレイヤー、オーディオプレイヤーなどの多様な電気装置が遠隔で便利に制御できるようにするリモコン機能が設けられたＰＤＡを提供する。また、本発明は、使用者が所望の映像を撮像し、撮像素子を用いる虹彩又は指紋確認による自分確認を可能にするカメラ機能が設けられたＰＤＡを提供する。
【００４６】
以上、本発明の好ましい実施例を例示のために説明したが、当業者であれば、添付の特許請求の範囲に開示された本発明の範囲及び精神から逸脱せずに多様な修正、追加及び代替が可能であることが理解できるであろう。
【００４７】
本発明の前記及びそのほかの目的、特徴及びそのほかの利点は添付図面を参考する以後の詳細な説明から明らかに理解できるであろう。
【図面の簡単な説明】
【図１】
図１は、本発明による多機能ＰＤＡの制御ブロック図である。
【図２】
図２は、バーコード認識機能に関する本発明のＰＤＡの制御ブロック図である。
【図３】
図３は、パスカード機能に関する本発明のＰＤＡの制御ブロック図である。
【図４】
図４は、メモリスティック入力機能に関する本発明のＰＤＡの制御ブロック図である。
【図５】
図５は、リモコン機能に関する本発明のＰＤＡの制御ブロック図である。
【図６】
図６は、カメラ機能に関する本発明のＰＤＡの制御ブロック図である。
【図７】
図７は本発明のＰＤＡの外観を示す斜視図である。
【図８】
図８は、リモコン機能に関する本発明のＰＤＡの表示部を示す斜視図である。
【国際公開パンフレット】
2004507835.tif 000003
2004507835.tif 000004
2004507835.tif 000005
2004507835.tif 000006
2004507835.tif 000007
2004507835.tif 000008
2004507835.tif 000009
2004507835.tif 000010
2004507835.tif 000011
2004507835.tif 000012
2004507835.tif 000013
2004507835.tif 000014
2004507835.tif 000015
2004507835.tif 000016
2004507835.tif 000017
2004507835.tif 000018
2004507835.tif 000019
2004507835.tif 000020
2004507835.tif 000021
2004507835.tif 000022
2004507835.tif 000023
2004507835.tif 000024
【国際調査報告】
2004507835.tif 000025